(57)【要約】【課題】  天井レールに吊設されて移動すると共に、所定の場所にて該天井レールと平行に又は斜めに配列することが出来るパネルであって、出し入れの操作性が良くて、間仕切り用としての断熱、遮音、一方ではブラインドとしての遮光機能を備えた回転・移動パネルの提供。【解決手段】  パネル１の上端中央には天井レールに遊嵌されて移動する吊車２を取着している。吊車２から垂下してパネル上端に連結する吊ボルト６は中空パイプとして、吊ボルト６には上ガイド棒３０を上下動可能に嵌合し、又パネル下端にはパイプで構成した下軸２６を下方へ延ばすと共に下軸２６には下ガイド棒２９を上下動可能に嵌合している。さらに下軸２６にはギア４及びスライダー３を取付けている。【選択図】    図１ 
2005105562.tif 000002
【特許請求の範囲】
【請求項１】
天井レールに吊設されて移動すると共に、所定の場所にて該天井レールと平行に又は斜めに配列することが出来るパネルにおいて、該パネルの上端中央には天井レールに遊嵌されて移動する吊車を取着し、該吊車から垂下してパネル上端に連結する吊ボルトは中空パイプとして、吊ボルトにはパネル面に設けた操作部の位置から延びる上ガイド棒を上下動可能に嵌合し、又パネル下端にはパイプで構成した下軸を下方へ延ばすと共に下軸にはパネル面に設けた操作部の位置から延びる下ガイド棒を上下動可能に嵌合し、そして下軸にはギア及びスライダーを取着したことを特徴とする回転・移動パネル。
【請求項２】
上記パネル側端には戸当り片を両面側に設け、片面側の戸当り片には弾性部材を取付けた請求項１記載の回転・移動パネル。
【請求項３】
天井レールに遊嵌して移動すると共に、所定の場所にて該天井レールと平行に又は斜めにパネルを配列することが出来る吊車において、該吊車はパネル上端中央に取着され、本体の前後両側には天井レールの走行片を転動するローラを設け、又本体中央に設けた支持部の貫通穴には給油なしブッシュを圧入すると共にブッシュ穴には貫通穴を有す吊ボルトを挿入して下方へ垂下したことを特徴とする吊車。
【請求項４】
上記両ローラを１個の車輪両側に外径を大きくして形成した請求項３記載の吊車。
【発明の詳細な説明】
【技術分野】
【０００１】
本発明は間仕切り用のパネルであって、所定の位置で回転することが出来ると共に移動することを可能とするパネル、及び該パネルを吊設する吊車に関するものである。
【背景技術】
【０００２】
建物の大きな空間を仕切って小さな空間を作るために、間仕切り装置が使用されているが、該間仕切り装置には移動パネルによって空間を仕切り、不必要に成った場合には手軽に撤去して収納部へ収納することが可能なように構成するものが知られている。該移動パネルはその上端両サイドに吊車を取着し、該吊車を介して天井レールに吊設され、移動パネルは天井レールに沿って移動することが出来て、所定の場所に配列される。
【０００３】
複数枚の移動パネルが天井レールに沿って配列されることで空間が仕切られるが、該移動パネルは上端両サイドに設けている2個の吊車にて吊設される為に、天井レールを2個の吊車が移動しなくてはならず、その為に操作性が悪くて不便である。しかも、配列状態は天井レールに対して常に平行であって、隣り合う移動パネル間に空間を形成することは出来ない。
【０００４】
一方、外からの直射日光を遮蔽する為に、オフィスの窓にはブラインドが装着される場合が多く、又、一般住宅ではカーテンが使用されている。勿論、一般の住宅であっても、部屋の様式によってはブラインドが用いられることも多い。ところで、一口にブラインドと言ってもその形態は色々あり、代表的なブラインドとしては、複数枚の羽根を紐に水平に配列して吊下げ、紐を引っ張り操作することで該羽根の傾斜を変えることにより、光を遮蔽することが出来る。
【０００５】
又、複数枚の羽根を垂直に配列して吊下げ構成した縦型ブラインドも多用されている。このブラインドは羽根を回転させることで向きが変わり、外から光を入れたり、光を遮蔽したりすることが出来る。一方、生地を素材としたカーテンは一般にレールに吊設され、該レールに沿って開閉することで部屋に光を入れたり、光を遮蔽することが出来る。
【０００６】
ところで、これらブラインドやカーテンは上記のごとく閉鎖することで光を遮蔽することが可能であるが、光の遮蔽には限度があり、完全に遮蔽することは出来ない。まして、騒音を遮ったり、熱を遮断することは不可能である。近年、ビルの多用途化が進み、例えば、オフィス、コンピュータ室、診療室等のごとき、使用の目的が様々な用途として使われる場合が多い。
【０００７】
従って、各部屋は夫々の目的にあった空間でなくてならず、例えば、外からの光を完全に遮蔽しなくてはならない場合、外部への騒音を遮蔽しなくてはならない場合、又、内部で発生する熱を外部へ逃げないように遮断する必要がある場合、さらには外部の電磁波を遮る必要がある場合など、部屋としての色々な機能が要求される。
【特許文献１】特願２００２−２８２１１３３号に係る「ブラインド間仕切り装置」
【発明の開示】
【発明が解決しようとする課題】
【０００８】
ところが、従来のブラインドやカーテンでは、上記目的を持って作られる部屋の機能を満たすことは出来ない。又、従来の移動パネルにしても単に仕切りとしての機能があるだけで、ブラインドやカーテンとして機能することは出来ない。本発明が解決しようとする課題はこの問題点であり、出し入れの操作性が良くて、間仕切り用としての断熱、遮音、一方ではブラインドとしての遮光機能を備えた回転・移動パネル及びその吊車を提供する。
【課題を解決するための手段】
【０００９】
本発明は従来の縦型ブラインドの羽根をパネルに置き換え、該パネルを回転可能に軸支して構成している。パネルの中間には回転軸を上下方向に鉛直に設け、該軸を中心として回転し、その向きによって外からの光の侵入を許容したり、光の侵入を遮蔽することが出来る。又、パネルを天井レールに平行に配置・配列することで空間を仕切ることが出来る。ここで、パネルの回転手段は特に限定しないが、例えば、各パネルの軸にピニオン(ギア)を取着し、該ピニオンに噛み合うラックを設けることが出来る。
【００１０】
そこで、ラックをスライド移動させるならば、該ラックに噛み合うピニオンは回転し、全てのパネルの向きを同時に変えることが出来る。この場合、ラックのスライド運動をモータで駆動する場合、又は手動にて操作する場合の何れでもよい。ところで、該パネルは部屋の用途によって、又パネルの使用目的によってその形態は異なり、本発明では具体的なパネル構成は限定しないことにする。
【００１１】
そして、本発明のパネルはその上端中央に吊車を取着して吊設され、該吊車が天井レールを移動することで該パネルは天井レールに沿って移動し、所定の場所にて吊車の吊軸を中心に回転することが出来る。パネルは所定の位置にて止着することが出来るように、天井レール及び床レールにはパネルに取付けられて上端及び下端から突出するガイド棒が嵌るガイド穴を形成している。
【００１２】
ところで、本発明に係る吊車はパネル上端に取着されて該パネルを吊設することが出来るが、1個の吊車でパネルを吊設すると共に移動しなくてはならない。そこで、吊車は本体の前後・両側にローラを軸支し、合計4個のローラを備え、各ローラは天井レールの走行片に載って転動することが出来る。そこで、パネルを天井レールに沿って移動する場合、本体の前後にローラを取付けることで揺れを抑制することが出来る。
【００１３】
そして、吊車から下方へ垂下してパネルを吊設する吊ボルトには中空パイプが用いられ、該パイプ内にガイド棒が嵌って上方へ突出可能としている。ガイド棒は吊車本体の上方へ突出して天井レールのガイド穴に嵌合して位置決めされる。同じく、パネル下端からも下方へ突出して床レールに設けているガイド穴に嵌合することが出来る。従って、パネルは突出してガイド穴に嵌ったガイド棒を中心に回転し、任意の向きに設定され得る。
【発明の効果】
【００１４】
本発明のパネルはその上端中央に取着した吊車によって天井レールに吊設されて回転可能に取付け・配列したものであり、各パネルを一直線状に配列することでガラス窓からの明かりを遮蔽することが出来る。又、適度な明かりを部屋に入れる場合には、各パネル間に僅かな隙間が形成されるように傾斜して配列する。パネルは従来の縦型ブラインドのような細長くて薄いプラスチック板ではなく、丈夫で剛性も高い大きな板状態であるために、オフィスであるならば内面に書類などを貼り付ける掲示板としても利用でき、プロジェクタのスクリーンとして活用することも可能である。
【００１５】
又、単にブラインドとしての遮光のみならず、遮音や断熱用の間仕切りとして機能することも可能である。そして、本発明のパネルは移動可能であるために、従来の移動パネルを配列することで形成される間仕切り空間を自由に作ることも出来る。そしてパネルの配列により、単なる間仕切り空間の形成だけでなく、ショウルームを作ることも出来る。
【００１６】
一方、パネルを吊設する吊車は本体の前後・両側にローラを軸支し、そのためにパネルを移動する際の揺れを抑えることが出来、しかも、１個の吊車にて吊設する構造である為に、該パネルの移動操作が簡単で・便利である。
【実施例】
【００１７】
図１は本発明に係る回転・移動パネルを示す実施例であり、同図の１はパネル、２は吊車、３はスライダー、４はギアを表している。パネル１は縦長の長方形を成し、上端中央には吊車２が取着され、該吊車２の本体５から垂下する吊ボルト６はパネル１と連結している。そして、吊ボルト６と同軸となる中心Ｍ−Ｍ線上のパネル下端には下軸２６を延ばし、下軸２６には上記ギア４及びスライダー３が取付けられている。
【００１８】
ところで、吊車２は天井レールに遊嵌されて移動し、スライダー３は床レールに遊嵌され、そしてギア４は床レール内に取付けられているラック２８と噛み合うことが出来る。パネル１は天井レール２３に吊設されて移動し、所定の場所にてガイド棒を上下方向へ突出することで位置決めされる。そして、ラックをスライドさせるならば、該ラックに噛み合っているギア４が回転してパネル１の向きを変えることが出来る。
【００１９】
図２は吊車２を示す具体例である。吊車は移動パネルを吊設して天井レールに沿って移動する場合にも使用されているが、本発明の吊車２はパネル１の上端中央に取着され、該パネル１を移動するに際して揺れを抑え、操作性を良好ならしめるように構成している。また、パネル１を所定の位置にて止着することが出来る構造と成っている。
【００２０】
該吊車２は四角形の枠体で構成した本体５の前後には空間８，８が形成され、該空間８，８には車輪９，９を回転自在に軸支している。車輪９は両側に外径を大きくしたローラ１０，１０を有し、該ローラ１０，１０が天井レールの走行片に載って転動することが出来る。同図に示すローラ１０，１０は１個の車輪９の両側に形成されて互いに繋がっているが、独立したローラ１０，１０を取付けることも可能である。
【００２１】
そして、本体５の中央部には支持部１１が設けられ、該支持部１１には吊ボルト６が回転自在に取付けられて下方へ延びている。すなわち、支持部１１には貫通穴が設けられ、該貫通穴に吊ボルト６が挿通しているが、挿通穴にはツバ付きブッシュ１３が圧入されている。ツバ付きブッシュ１３は給油を必要としないもので、ブッシュ穴に嵌った吊ボルト６は自由に回転可能である。
【００２２】
そして吊ボルト６の上端にはナット３１が螺合して固定され、支持部１１の貫通穴から抜け落ちないように成っていて、吊ボルト下端部にはパネル１のネジ穴に螺合して連結するネジ部１４が設けられている。又、該吊ボルト６はパイプであって、穴１５が貫通している。
【００２３】
図３は本発明に係るパネルを使用したブラインド間仕切り装置の概略図であり、窓ガラス１６，１６・・に沿ってパネル１ａ，１ｂ・・が配列され、各パネル１ａ，１ｂ・・は軸Ｍ−Ｍを中心として回転することが出来るように吊車２，２・・に吊設されている。同図において、パネル１ａ，１ｂ，１ｃは窓ガラス１６に対して平行に配置されて、各パネル１ａ，１ｂ，１ｃの側端は隙間が生じないように互いに当接している。従って、これらパネル１ａ，１ｂ，１ｃは光の侵入を遮蔽することが出来る。
【００２４】
これに対してパネル１ｄ，１ｅ，１ｆ，１ｇ，１ｈ，１ｉは窓ガラス１６に対して垂直に配置されている。従って、各パネル１ｄ，１ｅ・・間には空間が形成され、該空間からは光が侵入することが出来る。このように、パネル１ａ，１ｂ・・は中心軸Ｍ−Ｍを中心に回転してその向きを自由に変えることが出来、しかもその位置を変えるために天井レール及び床レールに沿って移動することが出来る。
【００２５】
図４はパネル１ａ，１ｂ，１ｃが一直線状に配列した場合の横断面図であり、隣り合う各パネル１ａ，１ｂ，１ｃの側端は互いに噛み合って、間に隙間が生じないように成る。本発明ではパネル１ａ，１ｂ，１ｃの具体的な構造は限定しないが、同図に示しているパネル１は充填材としてグラスウール１７が用いられ、スチール板から成る表面材１８，１８が両面に貼着され、該表面材１８，１８にはさらにガラスクロス１９，１９が貼着されている。そして、両側には戸当りエッジ２０，２０が取着されて、隣り合うパネル１ａ，１ｂ・・の戸当りエッジ２０，２０が互いに係合する。
【００２６】
図４(ｂ)には(ａ)のＡ部拡大図を示しているように、パネル側端に取着される戸当りエッジ２０は、軸を中心として回転して一直線状に配列した際に互いに係合することが出来るように、中立軸Ｏ−Ｏを中心として両面側での形状が違い、一方の戸当り片２１ａは外方向へ大きく突出し、反対側の戸当り片２１ｂは小さく突出している。
【００２７】
そして、戸当り片２１ａにはゴムなどの弾性部材２２が取付けられ、同図に示すように該弾性部材２２は反対側の戸当り片２１ｂに当接することが出来る。すなわち、軸を中心にパネル１ａ，１ｂ・・が回転し、戸当り片２１ａに取付けた弾性部材２２が反対側の戸当り片２１ｂに当接することが出来、衝撃を緩和すると共に、衝撃音を防止することが出来る。又、弾性部材２２が戸当り片２１ｂに当接することで、隙間の発生を防止する。勿論、上記戸当りエッジ２０の構造はあくまでも１具体例に過ぎず、この構造に限定するものではない。
【００２８】
図５はパネル１の縦断面図を示している。パネル１は中心軸Ｍ−Ｍを中心として回転すると共に移動することが出来、パネル上端中央に取着している吊車２を介して天井レール２３に吊設され、該天井レール２３に沿って移動する。吊車２から垂下する吊ボルト６はパネル上端に連結し、該パネル１を吊設している。そして、天井レール２３はブラケット２４に収容され、ブラケット２４に螺合しているロックネジ２５にて固定されている。ここで、ブラケット２４は天井の下地材に繋ぎを介して固定されている。
【００２９】
一方、パネル１の下端には下軸２６を下方へ延ばし、該下軸２６にはギア４が固定され、スライダー３が取付けられている。該スライダー３は床レール２７に設けているガイド７に拘束されて、パネル下端を位置決めすることが出来、ギア４は床レール２７に収容されているラック２８と噛み合っている。
【００３０】
ところで、パネル１に取付けられて下方へ延びる下軸２６はパイプで構成され、該下軸２６の穴には下ガイド棒２９が嵌っている。同じくパネル上側には上ガイド棒３０が設けられて、上ガイド棒３０は吊車２の吊ボルト６の穴に嵌っている。そして、下ガイド棒２９はパネル面に設けている下フランス落し１２を操作することで降下して床レール２７の底に設けているガイド穴に嵌合し、同じく上ガイド棒３０はパネル面に設けている上フランス落し１２を操作することで上昇して吊ボルト上端から突出し、天井レール２３に設けているガイド穴に嵌合することが出来る。
【００３１】
このように、天井レール２３及び床レール２７に沿って移動したパネル１は、所定の場所にて上ガイド棒３０及び下ガイド棒２９を上下方向へ突出してガイド穴に嵌合することで位置決めされ、この上下ガイド棒３０，２９を軸として回転することが出来る。
【００３２】
以上述べたように、本発明のパネルはその上端中央に１個の吊車を取着して天井レールに吊設し、下端には下軸を延ばしたもので、天井レールに沿って移動することが出来ると共に、回転可能なように構成している。
【図面の簡単な説明】
【００３３】
【図１】本発明に係る回転・移動パネルの実施例。
【図２】本発明に係る吊車の具体例。
【図３】本発明のパネルの具体的な配列形態。
【図４】間仕切りとしてパネルを配列した場合の横断面図。
【図５】天井レールに吊設したパネルの縦断面図。
【符号の説明】
【００３４】
１  パネル
２  吊車
３  スライダー
４  ギア
５  本体
６  吊ボルト
７  ガイド
８  空間
９  車輪
10  ローラ
11  支持部
12  フランス落し
13  ツバ付きブッシュ
14  ネジ部
15  穴
16  窓ガラス
17  グラスウール
18  表面材
19  ガラスクロス
20  戸当りエッジ
21  戸当り片
22  弾性部材
23  天井レール
24  ブラケット
25  ロックネジ
26  下軸
27  床レール
28  ラック
29  下ガイド棒
30  上ガイド棒
31  ナット
【図１】
2005105562.tif 000003
【図２】
2005105562.tif 000004
【図３】
2005105562.tif 000005
【図４】
2005105562.tif 000006
【図５】
2005105562.tif 000007